(57)【要約】【課題】  この発明の課題は、ペーパーホルダーに触れることなく、ペーパーのロール状物から片手で簡単にペーパーを切り取ることができるペーパーホルダー及びその使用方法を提供すること。【解決手段】  ペーパーのロール状物を回転自在に保持する軸部と、前記ロール状物を覆蓋すると共に、前記ロール状物の回転を抑制することのできるカバーとを備え、  前記カバーは、前記ロール状物を回転させずにそのペーパーの長手方向を横切る方向にペーパーの一部を切る第１刃と、前記ペーパーを引き出しつつこれをペーパーの長手方向に沿って切る第２刃と、前記ロール状物を回転させずにそのペーパーの長手方向を横切る方向にペーパーを切り取る第３刃とを備え、前記第１刃と前記第２刃と前記第３刃とがこの順に連続するように形成されて成ることを特徴とするペーパーホルダー、及びこのペーパーホルダーの使用方法。【選択図】      図１
2014018577.tif 000002
【特許請求の範囲】
【請求項１】
ペーパーのロール状物を回転自在に保持する軸部と、前記ロール状物を覆蓋すると共に、前記ロール状物の回転を抑制することのできるカバーとを備え、
前記カバーは、前記ロール状物を回転させずにそのペーパーの長手方向を横切る方向にペーパーの一部を切る第１刃と、前記ペーパーを引き出しつつこれをペーパーの長手方向に沿って切る第２刃と、前記ロール状物を回転させずにそのペーパーの長手方向を横切る方向にペーパーを切り取る第３刃とを備え、前記第１刃と前記第２刃と前記第３刃とがこの順に連続するように形成されて成ることを特徴とするペーパーホルダー。
【請求項２】
前記カバーは、前記ペーパーに接触し前記ペーパーとの間に摩擦力を働かせることのできる摩擦面、前記カバーの重さ、及び前記カバーに設けられたバネのうちの少なくとも一つにより、前記ペーパーのロール状物の回転を抑制することを特徴とする請求項１に記載のペーパーホルダー。
【請求項３】
前記カバーの上面を前記第１刃が下側になるようにして見た場合に、前記第１刃が前記カバーにおける左下側に、前記第３刃が前記カバーにおける右上側に配置され、前記ペーパーの長手方向に直交する方向をｘ方向として、前記ｘ方向から反時計回りに回転したときの角度をθとしたとき、
前記第１刃及び前記第３刃はθが０°を超え４５°未満の角度をなす方向に、前記第２刃はθが８０°を超え１００°未満の角度をなす方向に略直線状に形成されて成ることを特徴とする請求項１又は２に記載のペーパーホルダー。
【請求項４】
前記請求項１〜３のいずれか一項に記載のペーパーホルダーの使用方法であって、
前記カバーの上面を前記第１刃が下側になるようにして見た場合に、前記第１刃が前記第３刃より下側に配置されているとき、
前記第１刃により前記ロール状物を回転させずに前記ペーパーを切り、前記第２刃により前記ペーパーを引き出しつつ前記ペーパーの長手方向に沿って切り、次いで第３刃により前記ロール状物を回転させずに前記ペーパーを切ることを特徴とするペーパーホルダーの使用方法。
【発明の詳細な説明】
【技術分野】
【０００１】
この発明はペーパーホルダー及びその使用方法に関する。
【背景技術】
【０００２】
公共施設、特に病院や介護施設等では、施設内の感染の防止が非常に重要である。感染の原因の一つとして、不特定の人が手で触れるドアノブ等を介して間接的に人から人へと感染する交差感染がある。例えば、病原菌を持つ可能性のある患者等が使用する病院内のトイレでは、交差感染が起こりやすく、特に、トイレットペーパーのペーパーホルダーは、不特定の人がトイレを使用した後であって手を洗浄する前に触れる部分であるので、この部分で交差感染が生じる可能性がより高くなる。
【０００３】
ペーパーホルダーには、通常、ロール状に巻かれたペーパーのロール状物を回転自在に保持するホルダー本体と、ホルダー本体の上部に設けられたこのロール状物の上方を覆うと共にペーパーを切断するカバーとが備えられている。このようなペーパーホルダーからペーパーを切り取った後には、ペーパーの切断部がカバーの下に隠れてしまうので、次にペーパーを使用する人は、カバーを持ち上げたりロール状物を回転させたりすることによりカバーの下に隠れたペーパーの切断部を引き出さなければならず、不特定の人が不衛生な手でペーパーホルダーやロール状物に触れることになる。
【０００４】
また、ペーパーを切り取る際には、カバーが持ち上がらないように一方の手でカバーを抑えつつペーパーを切り取ることが多く、このような時にも不特定の人がカバーに触れることになる。
【０００５】
したがって、ペーパーをペーパーホルダーから引き出して切断する際に、他人の触れた部分に触れることなく片手で切断することができれば、トイレでの交差感染の発生率を低減させることができると考えられる。また、病院や介護施設等では、視力や肢体が不自由な人が多いので、ペーパーのロール状物をペーパーホルダーから片手で簡単に引き出して切断できることが望ましい。
【０００６】
特許文献１には、「既存のペーパーホルダーの上蓋１に簡単に取り付けることの出来る構造を持つ形状でペーパー固定エッジ９を設けたことを特徴とする片手で切れるペーパーカッター。」（特許文献１の請求項１参照。）が記載されている。
【０００７】
特許文献２には、「・・トイレットペーパーホルダーカバー（１）に、ロール紙（７）を貫通させるための貫通穴（２）を設け、ロール紙（７）補給の際一度この貫通穴（２）にロール紙端末を下から上方向に通し誘導しておけば、以降何度使用しても紙端末部はロールから完全に分離し切断刃部（３）まで、カバーの上に紙を乗せた状態を形成している、このため極めてつまみ易く引き出し易い、これらを特徴とするトイレットペーパーホルダーにおける切断カバー。」（特許文献２の請求項１参照。）が記載されている。
【０００８】
特許文献３には、「ロールペーパーを上蓋に設けた溝又は孔を通して上面に引き出し切断する事を特徴とする溝又は孔付き上蓋。」（特許文献３の請求項１参照。）が記載されている。
【０００９】
特許文献４には、「カバーを上蓋と下蓋の２枚に分け、その間からペーパーを引き出して下へ向けて引く力でロールを押さえてカットし、同時につまみの紙端を残すペーパーカッター。」（特許文献４の請求項１参照。）が記載されている。
【００１０】
特許文献５には、「ロールペーパー支持軸（２）とカバー支持軸（３）を本体（４）に片側だけで固定させたホルダーで（カバーは上下に動く）ロールペーパー支持軸（２）にロールペーパーを固定側の反対の空間から挿入してロールペーパーを押えカットするカバー（１）の後ろからカバー上部にペーパーを引き出してカバー先端の切歯（５）により切断するホルダー」（特許文献５の請求項１参照。）が記載されている。
【００１１】
これらはいずれも、ペーパーを片手で切ることやペーパーを切った後に次の使用者がペーパーをつまみやすいペーパーホルダーを提供することを目的として開発されている。
しかし、いずれのペーパーホルダーも一長一短があり、さらなる開発が望まれている。
【先行技術文献】
【特許文献】
【００１２】
【特許文献１】特開２００９−０１８１３４号公報
【特許文献２】特開２００６−１４１９２１号公報
【特許文献３】特開２００５−１１１２８６号公報
【特許文献４】特開２００４−３２９７９８号公報
【特許文献５】実用新案登録第３１１６３６７号公報
【発明の概要】
【発明が解決しようとする課題】
【００１３】
この発明は、ペーパーホルダーに触れることなく、ペーパーのロール状物から片手で簡単にペーパーを切り取ることができるペーパーホルダー及びその使用方法を提供することを課題とする。
【課題を解決するための手段】
【００１４】
前記課題を解決するための手段は、
（１）  ペーパーのロール状物を回転自在に保持する軸部と、前記ロール状物を覆蓋すると共に、前記ロール状物の回転を抑制することのできるカバーとを備え、
前記カバーは、前記ロール状物を回転させずにそのペーパーの長手方向を横切る方向にペーパーの一部を切る第１刃と、前記ペーパーを引き出しつつこれをペーパーの長手方向に沿って切る第２刃と、前記ロール状物を回転させずにそのペーパーの長手方向を横切る方向にペーパーを切り取る第３刃とを備え、前記第１刃と前記第２刃と前記第３刃とがこの順に連続するように形成されて成ることを特徴とするペーパーホルダーである。
【００１５】
前記（１）の好適な態様としては、
（２）  前記カバーは、前記ペーパーに接触し前記ペーパーとの間に摩擦力を働かせることのできる摩擦面、前記カバーの重さ、及び前記カバーに設けられたバネのうちの少なくとも一つにより、前記ペーパーのロール状物の回転を抑制することを特徴とする前記（１）に記載のペーパーホルダーであり、
（３）  前記カバーの上面を前記第１刃が下側になるようにして見た場合に、前記第１刃が前記カバーにおける左下側に、前記第３刃が前記カバーにおける右上側に配置され、前記ペーパーの長手方向に直交する方向をｘ方向として、前記ｘ方向から反時計回りに回転したときの角度をθとしたとき、
前記第１刃及び前記第３刃はθが０°を超え４５°未満の角度をなす方向に、前記第２刃はθが８０°を超え１００°未満の角度をなす方向に略直線状に形成されて成ることを特徴とする前記（１）又は（２）に記載のペーパーホルダーである。
【００１６】
前記他の課題を解決するための手段は、
（４）  前記（１）〜（３）のいずれか一つに記載のペーパーホルダーの使用方法であって、
前記カバーの上面を前記第１刃が下側になるようにして見た場合に、前記第１刃が前記第３刃より下側に配置されているとき、
前記第１刃により前記ロール状物を回転させずに前記ペーパーを切り、前記第２刃により前記ペーパーを引き出しつつ前記ペーパーの長手方向に沿って切り、次いで第３刃により前記ロール状物を回転させずに前記ペーパーを切ることを特徴とするペーパーホルダーの使用方法。
【発明の効果】
【００１７】
この発明に係るペーパーホルダーは、前記第１刃と前記第２刃と前記第３刃とを備えるので、前記第１刃でペーパーをその長手方向を横切る方向に切り、前記第２刃でペーパーを引き出しつつこれをペーパーの長手方向に沿って切るときに、第１刃で切られたカット縁を有する短冊状のペーパー片がカバーの下から引き出される。次の使用者はこの短冊状のペーパー片を掴み代として持って、ペーパーホルダーからペーパーを引き出すことができる。従来のペーパーホルダーでは、ペーパーを切断した後にペーパーの切断部がカバーの下に隠れてしまうので、次のペーパーの使用者は、カバーを持ち上げたりロール状物を回転させたりすることによりペーパーの切断部をカバーの下から引き出さなければならなかった。しかし、この発明に係るペーパーホルダーによると、ペーパーを切断した後にペーパーの切断部がすべてカバーの下に隠れてしまうことがなく、ペーパーの切断部の一部が掴み代としてカバーの外に露出されているので、不特定の人が不衛生な手でカバーやロール状物に触れることなく、ペーパーホルダーからペーパーを引き出して、ペーパーを切り取ることができる。
【００１８】
また、この発明に係るペーパーホルダーは、ロール状物を覆蓋すると共に、ロール状物の回転を抑制することのできるカバーを備えるので、前記第１刃及び前記第２刃でペーパーを切るときには、一方の手でカバーを押えつつ他方の手でペーパーを切る必要がなく、カバーに触れずに片手で簡単にペーパーを切ることができ、前記第３刃でペーパーを切るときには、ロール状物を適度に回転させることでペーパーが途中で千切れてしまうことなく、ペーパーを引き出しつつペーパーを切ることができる。よって、この発明に係るペーパーホルダーによると、不特定の人が不衛生な手でカバーに触れることなく、ペーパーを切り取ることができるだけでなく、視力や肢体の不自由な人であってもペーパー片を掴み代として持って片手で簡単にペーパーを切り取ることができる。
【図面の簡単な説明】
【００１９】
【図１】図１は、この発明に係るペーパーホルダーの一実施態様を示すペーパーホルダーの概略説明図である。図１（ａ）は、この発明に係るペーパーホルダーを壁に取付けたときに上から見たときの上面概略説明図であり、図１（ｂ）は、この発明に係るペーパーホルダーを壁に取り付けたときに横から見たときの側面概略説明図である。
【図２】図２は、この発明に係るペーパーホルダーの別の実施態様を示すペーパーホルダーの上面概略説明図である。
【図３】図３は、この発明のペーパーホルダーに設けられたペーパーのロール状物からペーパーを切り取る工程を示す説明図である。
【図４】図４は、この発明のペーパーホルダーにおける第２刃でペーパーを切るときのペーパーを引く方向を示す側面概略説明図である。
【発明を実施するための形態】
【００２０】
以下において、図面を参照しつつこの発明に係るペーパーホルダーについて説明する。図１は、この発明に係るペーパーホルダーの一実施態様を示すペーパーホルダーの概略説明図である。図１（ａ）は、この発明に係るペーパーホルダーを壁に取付けたときに上から見たときの上面概略説明図であり、図１（ｂ）は、この発明に係るペーパーホルダーを壁に取り付けたときに横から見たときの側面概略説明図である。
【００２１】
図１に示すように、この実施態様のペーパーホルダー１は、壁などに取り付け可能な取付け部２と、前記取付け部２の両側縁から取付け部２に対して垂直方向に延在する２つの側部３と、ペーパーのロール状物４を回転自在に保持し、２つの側部３の間に設けられ、前記取付け部２に対して平行な方向にする延在する棒状の軸部５と、前記ロール状物４の一部を覆蓋すると共に、前記ロール状物４の回転を抑制することのできるカバー６とを備える。
【００２２】
この発明のペーパーホルダーは、カバーにおけるペーパーの切断部に技術的特徴を有するので、カバー以外の構成については特に限定されず、ペーパーホルダーとして公知の構成を適宜採用することができる。
【００２３】
例えば、図１に示す取付け部２は板状であるが、棒状、網状など適宜の形状を採用することができる。図１に示す側部３は、側面から見て短冊状であり取付け部２に対して垂直方向に延在しているが、側面から見たその形状は楕円形状や多角形状等適宜の形状を採用することができ、また、ロール状物４全体を覆うような大きさであってもよい。側部３は軸部５を固定することができればよく、取付け部２における一方の端縁のみに設けられていてもよいし、両端縁に設けられていてもよい。図１に示す軸部５は、棒状でありロール状物４の軸孔に挿通するように設けられているが、軸部５はロール状物４を回転自在に保持することができればよく、別の態様として例えば、側部３に対して垂直方向に突出する突起部を形成し、この突起部がロール状物４の軸孔の両端部に挿入されてロール状物４を回転自在に保持するように形成されていてもよい。
【００２４】
前記カバー６は、図１（ａ）に示すように、上面から見て略四角形であり、取付け部２側とは反対側の辺の一部が切りかかれて切欠き部１１を形成している。上面から見ると、カバー６はロール状物４の左端部から右端部までを少なくとも覆う幅を有し、この切欠き部１１を有する取付け部２とは反対側の辺でロール状物４が切断される。カバー６は、取付け部２の上縁に、カバー６の一辺１２を軸にして回転することができるように取付けられている。カバー６は取付け部２の上縁に取付けられる態様に限らず、側部３に設けられていてもよい。図１（ｂ）に示すように、カバー６は側面から見て取付け部２側からその反対側にあるペーパーの切断部１３まで全体に渡って湾曲するように形成されているが、湾曲せずに直線状すなわち板状に形成されていてもよいし、取付け部２側からその反対側の端部までにおける一部のみが湾曲するように形成されていてもよい。
【００２５】
前記カバー６は、ペーパーの切断部１３に、ロール状物４を回転させずにそのペーパーの長手方向を横切る方向にペーパーの一部を切る第１刃７と、ペーパーを引き出しつつこれをペーパーの長手方向に沿って切る第２刃８と、ロール状物４を回転させずにそのペーパーの長手方向を横切る方向にペーパーを切り取る第３刃９とを備え、第１刃７と第２刃８と第３刃９とがこの順に連続するように形成されている。
【００２６】
前記カバー６は、図１（ａ）に示すように、その上面を第１刃７が下側になるようにしてみた場合に、第１刃７がカバー６における左下側に、第３刃９がカバー６における右上側に配置され、第１刃７と第３刃９とはペーパーの引き出し方向に略直交する方向に延在し、ペーパーの一部を切ることができるように形成されている。第２刃８は第１刃７と第３刃９との間に配置され、ペーパーの引き出し方向に沿って延在し、ペーパーを引き出しつつこれをペーパーの長手方向に沿って切ることができるように形成されている。また、第２刃８と第３刃９とで切欠き部１１を形成している。なお、この実施態様においては、第１刃７がカバー６における左下側に配置されているが、第１刃と第３刃とが入れ替えられて、第３刃がカバーにおける左下側に、第１刃がカバーにおける右上側に配置されていてもよい。
【００２７】
また、この実施態様においては、第１刃７と第２刃８とが直交し、第２刃８と第３刃９とが直交するように形成されているが、例えば、図２に示すように、互いに直交せずに互いの刃のなす角度が鈍角になるように形成されていてもよいし、鋭角（図示せず。）になるように形成されてもよい。
【００２８】
図２は、この発明に係るペーパーホルダーの別の実施態様を示すペーパーホルダーの上面概略説明図である。図２に示すように、ペーパーの長手方向に直交する方向をｘ方向として、このｘ方向から反時計回りに回転した角度をθとしたとき、第１刃７及び第３刃９はθが０°以上４５°未満、特に０°を超え１５°未満の角度θ１及び角度θ３をなす方向にそれぞれ略直線状に形成されているのが好ましく、第２刃８はθが８０°を超え１００°未満、特に８５°を超え９０°未満又は９０°を超え９５°未満の角度θ２をなす方向に略直線状に形成されているのが好ましい。これらの刃が前記角度の範囲で、互いに直交せずに、第１刃７及び第３刃９の角度θ１及び角度θ３がそれぞれ０°を超え及び／又は第２刃８の角度θ２が９０°未満若しくは９０°を超える方向に延在するように形成されていると、ペーパーが切り易くなり、片手であっても容易にペーパーを切断し易くなる。
【００２９】
カバー６におけるこれらの刃の縁辺の形状は、特に限定されず、公知の任意の形状を採用することができ、直刃であってもよいし、鋸のようにギザギザになっている半刃であってもよい。
【００３０】
前記カバー６は、ロール状物４の回転を抑制することができるように形成されている。すなわち、前記カバー６は、ペーパーを第１刃７及び第３刃９で切るときには、ロール状物４を回転させないように、またペーパーを第２刃８で切るときには、ロール状物４を適度に回転させてペーパーを引き出しつつペーパーを切れるように形成されている。例えば、カバー６が適度な重さを有すると、ペーパーを第１刃７及び第３刃９で切るときには、カバー６を一方の手で押さえることなくロール状物４を回転させずに片手で簡単に切ることができ、ペーパーを第２刃８で切るときにはロール状物４を適度に回転させることによりペーパーが途中で千切れてしまうことなく、ペーパーを引き出しつつ切ることができる。カバー６の重さは、ペーパーの材質、カバー６を形成する材料及びカバー６における刃の縁辺の形状等によっても異なるが、例えば、プラスチックで形成され、刃の縁辺が直刃であるカバーの場合には、カバーが３００ｇ〜７００ｇの重さを有することにより、第１刃７及び第３刃９でペーパーを切るときにはロール状物４を回転させずに片手で簡単にペーパーを切ることができ、第２刃８でペーパーを切るときにはロール状物４を適度に回転させることでペーパーが途中で千切れてしまうことなく、ペーパー引き出しつつ切ることができる。
【００３１】
ロール状物４の回転を抑制することのできるカバー６の構成として、この他に、カバー６におけるペーパーと接触する接触面に設けられた、ペーパーとの間に摩擦力を働かせることのできる摩擦面を挙げることができる。摩擦面としては、例えば、前記接触面の少なくとも一部に設けられた凹凸形状、前記接触面の少なくとも一部に設けられた粘着面等を挙げることができ、粘着面は例えばゴム材料等によって形成することができる。カバー６とペーパーとの間に適度な摩擦力が働くことにより、第１刃７及び第３刃９でペーパーを切るときにはロール状物４を回転させずに片手で簡単にペーパーを切ることができ、第２刃８でペーパーを切るときにはロール状物４を適度に回転させることでペーパーが途中で千切れてしまうことなく、ペーパー引き出しつつ切ることができる。
【００３２】
ロール状物４の回転を抑制することのできるカバー６の構成として、この他に、カバー６に設けられたバネを挙げることができる。このバネはカバー６の接触面又は表面のいずれに設けられてもよく、第１刃７及び第３刃９でペーパーを切るときには、ロール状物４を回転させずに、第２刃８でペーパーを切るときにはペーパーを引き出すことのできる程度の押圧力をカバー６からロール状物４にかけられるように形成される。カバー６がロール状物４を適度に押圧可能にカバー６を形成することで、第１刃７及び第３刃９でペーパーを切るときにロール状物４が回転しないので、一方の手でカバー６を押える必要がない。
【００３３】
ロール状物の回転を抑制することのできるカバーの構成は、前述した構成のうちの一つのみが設けられていてもよいし、２つ以上の構成が組合わされて設けられていてもよい。
【００３４】
カバー６及び軸部５等のペーパーホルダー１を構成する部品の材質については、特に限定されず、ペーパーホルダーに使用される公知の材料を採用することができ、例えば、プラスチック及び金属等を挙げることができる。
【００３５】
この発明のペーパーホルダーは、ロール状に巻かれたペーパーである限り公知のペーパーに使用することができ、ペーパーとして、例えば、トイレットペーパー、キッチンペーパー、感熱紙、上質紙等公知のペーパーを挙げることができる。この発明のペーパーホルダーは、これらの中でも、トイレットペーパーを保持するペーパーホルダーとして好適に使用され、不特定の人が触れることによる交差感染を予防する必要のある病院や介護施設等で使用されるトイレットペーパーを保持するペーパーホルダーとして特に好適に使用される。
【００３６】
次に、この発明のペーパーホルダーの使用方法を、前記ペーパーホルダー１を例にとって以下に説明する。図３は、この発明のペーパーホルダーに設けられたペーパーのロール状物からペーパーを切り取る工程を示す説明図である。図３に示すペーパーホルダー１は、取付け部２に向かって第１刃７を下側にして見たときの図であり、以下の説明においては、取付け部２に向かって左側を左、右側を右、ロール状物４における取付け部２が設けられている位置とは反対側を手前として説明する。
【００３７】
ペーパーのロール状物４は、その軸孔に軸部５を挿通させて２つの側部３の間に設置され、ロール状物４における上方から手前までの外周面の一部がカバー６で覆われている。ペーパーの使用者がペーパーの端部を持ってペーパーを引き出すときには、ペーパーがロール状物４と取付け部２との間を通って、さらにロール状物４とカバー６との間を通って引き出されるように、ロール状物４が設置される。
【００３８】
ペーパーの使用者は、ロール状物４におけるペーパーの端部を持って所望の長さのペーパーを引き出す（図３（ａ）参照。）。ペーパーを切るときには、引き出されたペーパーを右斜め上方（図３（ｂ）の矢印Ａ方向）に引き、ペーパーの長手方向を横切る方向にペーパーの一部を第１刃７で切る（図３（ｂ）参照。）。第１刃７でペーパーを切るときには、例えば、カバー６が適度な重さを有するので、ロール状物４が適度にカバー６により押圧されてロール状物４の回転が抑制され、一方の手でカバー６を押えることなく、ロール状物４を回転させずに片手で容易にペーパーを切ることができる。
【００３９】
ペーパーを第１刃７で第２刃８との境界まで切った後には、ペーパーを引く方向を手前側（図３（ｃ）及び図４の矢印Ｂ方向）に変えて、ペーパーを引き出しつつこれをペーパーの長手方向に沿って切る（図３（ｃ）参照。）。このとき、ペーパーホルダー１を取付け板２に向かって見たときに、ペーパーを切る方向にほぼ沿ってペーパーを引き、図４に示すように、ペーパーホルダー１を側面からみたときに、ペーパーとカバー６との接点におけるカバー６の接線Ｔに対して反時計回りに０°を超え９０°未満の範囲内の角度αだけ回転させた方向にペーパーを引くことで、ペーパーを引き出しつつ第２刃８でペーパーを切ることができる。したがって、第２刃８でペーパーを切った後には、第１刃７で切られたカット縁１４を有する短冊状のペーパー片１５がカバー６の下から引き出された状態で残る。
【００４０】
ペーパーを第２刃８で第３刃９との境界まで切った後には、ペーパーを引く方向を再び右斜め上方（図３（ｄ）の矢印Ｃ方向）に変えて引くことにより、ペーパーの長手方向を横切る方向にペーパーを第３刃９で切り、ペーパーの全幅に渡って切り離して完全に切断する（図３（ｄ）参照。）。第３刃９でペーパーを切るときには、第１刃７でペーパーを切るときと同様にして、ロール状物４が適度にカバー６により押圧されてロール状物４の回転が抑制されているので、一方の手でカバー６を押えることなく、ロール状物４を回転させずに片手で容易にペーパーを切ることができる。
【００４１】
このようにして、ペーパーが完全に切り離された後には、第１刃７で切られたカット縁１４を有する短冊状のペーパー片１５がカバー６の下から引き出された状態で残っている。この短冊状のペーパー片１５は、次のペーパーの使用者の掴み代として使用することができる。したがって、従来のペーパーホルダーでは、ペーパーのカット縁が全てカバーの下に隠れてしまい、ペーパーを引き出すためにカバーを持ち上げたり、ロール状物を回転させたりしなければならなかったところ、この発明のペーパーホルダーによると、カバー６の下から短冊状のペーパー片１５が引き出された状態で残っているので、これを掴み代としてペーパーを所望の長さだけ引き出すことができ、カバー６やロール状物４に触れることなく切断することができる。また、カバー６の下から引き出された状態で残っているペーパー片１５は、引き千切られたような醜い状態ではなく、短冊状にきれいな状態で残っているので、美観もよい。
【００４２】
前記ペーパーホルダーの使用方法では、ロール状物４からペーパーを左側から右側に向かって切り取った例について説明したが、図３において左下側にある第１刃７が右下側に、右上側にある第３刃９が左上側にある場合には、右側から左側に向かって同様にして切り取る。
【００４３】
なお、この発明のペーパーホルダーは、前述した実施態様に限定されず、この発明の課題を達成することができる限り、種々の変更が可能である。
【００４４】
例えば、前記実施態様のペーパーホルダー１におけるカバー６は、一つの材料で一体に形成されているが、ペーパーを切る第１刃７、第２刃８及び第３刃９を有する切断部を別体としてカバーに着脱可能に設けてもよい。
【００４５】
また、この発明のペーパーホルダーによると、ペーパーホルダーに触れることなく片手で簡単にペーパーを切り取ることができるので、交差感染の可能性が低減し、視力や肢体の不自由な人にとっても好ましいことを述べたが、この発明のペーパーホルダーは、交差感染の可能性のある場所及び視力や肢体の不自由な人の多い場所、例えば病院や介護施設等での使用に限定されず、あらゆる場所に設置されることができ、また、あらゆる人にとって便利に使用できる。
【符号の説明】
【００４６】
１    ペーパーホルダー
２    取付け部
３    側部
４    ロール状物
５    軸部
６    カバー
７    第１刃
８    第２刃
９    第３刃
【図１】
2014018577.tif 000003
【図２】
2014018577.tif 000004
【図３】
2014018577.tif 000005
【図４】
2014018577.tif 000006